(57)【要約】【課題】通路の有効幅を狭めるのを抑制でき、手摺が途切れない手摺構造。【解決手段】建物内の内壁部１２には、非柱部２８側の各々に、通路１４側に開口された凹状の手摺収納部３０が取り付けられており、手摺収納部３０の各々には、開口部４４内に手摺本体部５６が取り付けられている。また、内壁部１２の柱部２０側の部分には、壁面部材２４Ａが除かれて切込部５２が形成されている。手摺１０は、手摺本体部５６と手摺連結部５８とにより構成されており、手摺連結部５８は、切込部５２に配置されて手摺本体部５６の各々に連結されている。このため、手摺１０は、通路１４の有効幅が狭まるのを抑制できると共に、通路１４に沿って手摺本体部５６と手摺連結部５８とが連続しているので、通路１４を通る人に不安を生じさせることなく適切に補助できる。【選択図】図１
2020197037.tif 000002
【特許請求の範囲】
【請求項１】
建物内部の通路に沿って立設されると共に、表面に壁面部材が配設され、構造柱部及び当該構造柱部の両側に設けられた非構造柱部を含んで構成された壁部と、
前記非構造柱部側に設けられ、前記通路側へ開口されかつ通路に沿って延在された凹状の手摺収納部と、
前記手摺収納部内に設けられた手摺本体部と、
前記構造柱部側において前記壁面部材を切除した範囲に設けられ、双方の前記手摺本体部を繋ぐ手摺連結部と、
を含む手摺構造。
【請求項２】
前記手摺連結部は、前記壁部の厚さ方向に沿う断面サイズが前記手摺本体部よりも小さい請求項１に記載の手摺構造。
【請求項３】
前記手摺連結部は、前記手摺本体部の前記壁面部材からの前記通路側への突出部分が前記構造柱部側の前記壁面部材を切除した範囲に延伸された形状に形成されている請求項１又は請求項２に記載の手摺構造。
【発明の詳細な説明】
【技術分野】
【０００１】
本発明は、建物内に設置される手摺構造に関する。
【背景技術】
【０００２】
特許文献１の高齢者対応壁内手摺では、管柱と管柱又は通し柱との間において、廊下の壁内にくい込み手摺枠が埋め込まれて固定されている。また、くい込み手摺枠は、廊下側に開口されており、手摺は、くい込み手摺枠内に配置されて取り付けられている。
【先行技術文献】
【特許文献】
【０００３】
【特許文献１】登録実用新案第３０６０１２３号公報
【発明の概要】
【発明が解決しようとする課題】
【０００４】
ところで、特許文献１では、くい込み手摺枠が、管柱と管柱又は通し柱との間に設けられている。このため、手摺は、管柱又は通し柱の部分において切り離されており、廊下を通る人は、管柱や通し柱の近傍（部分）を通る際に、手摺から手を離さなければならず改善の余地がある。
【０００５】
本発明は上記事実に鑑みてなされたものであり、通路の有効幅を狭めるのを抑制でき、構造柱部の部分などにおいて手摺が部分的に途切れてしまうことのない手摺構造の提供を目的とする。
【課題を解決するための手段】
【０００６】
上記目的を達成するために本発明の第１の態様の手摺構造は、建物内部の通路に沿って立設されると共に、表面に壁面部材が配設され、構造柱部及び当該構造柱部の両側に設けられた非構造柱部を含んで構成された壁部と、前記非構造柱部側に設けられ、前記通路側へ開口されかつ通路に沿って延在された凹状の手摺収納部と、前記手摺収納部内に設けられた手摺本体部と、前記構造柱部側において前記壁面部材を切除した範囲に設けられ、双方の前記手摺本体部を繋ぐ手摺連結部と、を含む。
【０００７】
第１の態様の手摺構造では、建物内部の通路に沿って壁部が立設されており、壁部は、表面に壁面部材が配設され、構造柱部及び構造柱部を挟んだ両側に設けられた非構造柱部によって構成されている。壁部の非構造柱部側には、通路側に開口され、かつ通路に沿って延在された凹状の手摺収納部が設けられており、手摺収納部には、手摺本体部が設けられている。
【０００８】
また、壁部には、構造柱部側において壁面部材が切除されており、構造柱部側において壁面部材が切除された範囲に手摺連結部が設けられている。手摺連結部は、非構造柱部側の手摺本体部の双方に連結されている。
【０００９】
これにより、手摺は、手摺本体部と手摺連結部とが構造柱部分において途切れることなく通路に沿って連続されているので、通路を通る人に、通路の途中で手摺が途切れてしまうことによる不安が生じるのを抑制できる。また、壁部の構造柱部に対応する範囲では、壁面部材が切除されているので、手摺連結部を壁部側（構造柱部側）に寄せることができるので、壁面部材が切除されていない場合に比して、手摺が通路の有効幅を狭めてしまうのを抑制できる。
【００１０】
第２の態様の手摺構造は、第１の態様の手摺構造において、前記手摺連結部は、前記壁部の厚さ方向に沿う断面サイズが前記手摺本体部よりも小さくされている。
【００１１】
第２の態様の手摺構造では、壁部の厚さ方向において手摺本体部の断面サイズよりも手摺連結部の断面サイズが小さくされている。これにより、手摺連結部が通路側に突出するのを抑制できて、壁部の構造柱部側の部分において通路の有効幅が狭まるのを効果的に抑制できる。
【００１２】
第３の態様の手摺構造は、第１又は第２の態様の手摺構造において、前記手摺連結部は、前記手摺本体部の前記壁面部材からの前記通路側への突出部分が前記構造柱部側の前記壁面部材を切除した範囲に延伸された形状に形成されている。
【００１３】
第３の態様の手摺構造では、手摺連結部が手摺本体部の壁面部材からの通路側への突出部分を構造部側の壁面部材を切除した範囲に延伸された形状に形成されている。
【００１４】
これにより、手摺連結部が通路側に突出して通路の有効幅を狭めてしまうのをより効果的に抑制できる。また、手摺本体部と手摺連結部とが通路に沿って略直線状に連続するので、通路に沿って移動する人を適切に補助できる。
【発明の効果】
【００１５】
以上説明したように第１の態様の手摺構造によれば、構造柱部の部分において通路の有効幅が狭められるのを抑制でき、通路を通る人に、通路の途中で手摺が途切れてしまうことによる不安が生じるのを抑制できる、という効果が得られる。
【００１６】
第２の態様の手摺構造によれば、手摺連結部が通路の有効幅を狭めてしまうのを効果的に抑制できる、という効果が得られる。
【００１７】
第３の態様の手摺構造によれば、手摺本体部と手摺連結部とが通路に沿って略直線状になるので、構造柱部の部分において通路の有効幅が狭められるのをより効果的に抑制でき、通路に沿って移動する人を適切に補助できる、という効果が得られる。
【図面の簡単な説明】
【００１８】
【図１】本実施形態に係る手摺を示す斜視図である。
【図２】内壁部を上下方向に切断した断面図である。
【図３】内壁部を水平方向に切断した断面図である。
【図４】変形例に係る手摺を示す斜視図である。
【発明を実施するための形態】
【００１９】
以下、図面を参照して本発明の実施形態の一例を詳細に説明する。
本実施形態に係る手摺構造は、建物内部の通路に沿って立設された壁部に適用される。建物としての住宅には、躯体が木造構造や鉄骨構造（軽量鉄骨構造）などがあり、鉄骨構造の躯体には、鉄骨軸組構造や鉄骨ラーメン構造などがある。鉄骨ラーメン構造の住宅には、各々が箱枠状に形成された複数の建物用ユニットが水平方向及び上下方向に配列された所謂ユニット式住宅がある。
【００２０】
ユニット式住宅に用いられる建物用ユニットは、四隅にフレーム支柱（鉄骨ポスト）が配置され、フレーム支柱の上部に天井フレームが接合され、下部に床フレームが接合されている。天井フレーム及び床フレームの各々は、桁側に対で配置された大梁（桁天井大梁及び桁床大梁）、及び妻側に対で配置された大梁（妻天井大梁及び妻床大梁）がフレーム支柱に接合され、桁側の大梁の間に複数の小梁（天井小梁及び床小梁）が接合される。これにより、建物用ユニットは、略梯子状に形成された天井フレーム及び床フレームがフレーム支柱により連結されて矩形箱枠状に形成されている。
【００２１】
ユニット式住宅では、互いに隣接する建物用ユニット同士が連結されて鉄骨ラーメン構造の躯体が構成されている。ユニット式住宅では、建物用ユニットのフレーム支柱により構造柱部が構成される。例えば、ユニット式住宅では、２つの建物用ユニットの連結部分において、接近配置された２本のフレーム支柱や、４つの建物用ユニットの連結部分において、接近配置された４本のフレーム支柱により１本の構造柱部が構成される。
【００２２】
また、住宅では、躯体の屋外側の面に外壁部が設けられ、住宅の外壁部に囲まれた内部には、間取り等に応じて仕切り壁などの内壁部が設けられている。構造柱部は、外壁部内や内壁部内に配置される。以下では、ユニット式住宅において、構造柱部が設けられた壁部として内壁部を例に、内壁部の手摺構造を説明する。
【００２３】
図１には、本実施形態に係る手摺１０が斜視図にて示されている。また、図２には、手摺構造が適用された壁部としての内壁部１２が上下方向に沿って切断した断面図（図１の２−２線に沿う断面図）にて示され、図３には、内壁部１２が通路方向に切断した断面図（図１の３−３線に沿う断面図）にて示されている。
【００２４】
図１から図３に示すように、壁部としての内壁部１２は、一方の面が廊下などの通路１４に面し、他方の面が他の居室等の屋外以外の空間（以下、他室１４Ａという）に面している。これにより、内壁部１２は、住宅の内部において通路１４に沿って設置（立設）され、通路１４と他室１４Ａとを区画する間仕切り（仕切り壁）の一部を形成している。
【００２５】
図３に示すように、内壁部１２は、例えば、通路１４に沿う方向（以下、通路方向という）の端部の各々に管柱（継手間柱）などの継柱部１６（図３では、一方のみ図示。構造柱部でもよい）が配置されている。継柱部１６は、例えば、開口枠又は建具枠等（図示省略）が取り付けられる部分となる。本実施形態において構造柱部には、躯体のみならず、継柱部１６のように壁部の構成（例えば枠組み）に必要な柱部分が含まれる。
【００２６】
図３に示すように、内壁部１２には、通路方向の中間部に構造柱部としての柱部２０が配置されている。柱部２０は、例えば、４つの建物用ユニットの連結部分とされており、柱部２０は、各々が異なる建物用ユニットにおける４本のフレーム支柱（鉄骨ポスト）１８が平面視縦横に所定間隔で近接集合されて形成されている。
【００２７】
柱部２０は、隣接する建物用ユニットが互いに連結されることで、複数のフレーム支柱１８が互いの上部側及び下部側において連結されて一体化されており、柱部２０は、全体としての断面外形が略正方形状に形成されている。また、柱部２０では、フレーム支柱１８の各々の外側の面（柱部２０の外周側の面）に下地材２２が取り付けられている。下地材２２は、例えば、厚さｔが９ｍｍの木製とされている。
【００２８】
図２及び図３に示すように、内壁部１２には、通路１４側及び他室１４Ａ側の各々に壁面部材２４が配置されており、内壁部１２は、通路１４側の壁面部材２４と他室１４Ａ側の壁面部材２４とが所定間隔で配置されている。また、柱部２０には、通路１４側とは異なる面の各々に壁面部材２４が配置されている。なお、以下の説明において壁面部材２４を区別する場合、通路１４側を壁面部材２４Ａ、他室１４Ａ側を壁面部材２４Ｂ、及び柱部２０の周囲（通路１４側を除く）を壁面部材２４Ｃという。
【００２９】
通路１４側の壁面部材２４Ａは、柱部２０部分において、ねじや釘等の留付具（図示省略）が用いられて下地材２２に固定されている。また、柱部２０の周囲の壁面部材２４Ｃの各々は、留付具等によって下地材２２に固定されている。これにより、柱部２０は、全周が壁面部材２４（２４Ａ、２４Ｃ）によって囲われている。なお、壁面部材２４（２４Ａ〜２４Ｃ）の表面は、化粧クロスなどの仕上げ材によって仕上げられている。
【００３０】
柱部２０には、壁面部材２４Ｃの通路１４側部分に壁下地材としての野縁２６が取り付けられている。また、内壁部１２の継柱部１６と柱部２０との間の部分は、非構造柱部としての非柱部２８とされている。なお、内壁部１２には、非柱部２８部分において間柱を形成する野縁（図示省略）が所定間隔で配置されてもよい。
【００３１】
内壁部１２は、通路１４側の壁面部材２４Ａ及び他室１４Ａ側の壁面部材２４Ｂが各々柱部２０の野縁２６、継柱部１６部分及び非柱部２８の野縁に留付具等が用いられて固定されている。
【００３２】
野縁２６は、例えば、厚さ寸法（内壁部１２の幅方向に沿う寸法）が２２ｍｍ、幅（内壁部１２の厚さ方向に沿う寸法）が７５ｍｍの木製とされ、継柱部１６は、例えば、２本の野縁２６が重ねられた形状で形成されている。また、壁面部材２４（２４Ａ〜２４Ｃ）には、所定厚さ（例えば、厚さｔ＝１２．５ｍｍ）の石膏ボード等が用いられている。これにより、内壁部１２は、所定の厚さ寸法（壁面部材２４Ａ、２４Ｂの表面間隔の寸法、例えば、厚さｔ＝１００ｍｍ）に形成されている。また、内壁部１２の柱部２０部分は、通路１４側が非柱部２８から連続された平面状にされ、他室１４Ａ側が非柱部２８の間において他室１４Ａ内に突出されている。
【００３３】
一方、図１から図３に示すように、内壁部１２には、手摺収納部３０が設けられており、手摺収納部３０は、柱部２０を挟んだ両側の非柱部２８の各々に配置されている。手摺収納部３０には、各々が長尺平板状とされた上板３２、底板３４、奥板３６及び斜板３８が用いられており、手摺収納部３０では、上板３２、底板３４、奥板３６及び斜板３８の各々の長手方向が互いに略平行にされている。
【００３４】
上板３２は、底板３４よりも狭幅とされており、上板３２と底板３４とは、幅方向の一端が揃えられて上下に対向配置されている。また、底板３４の幅方向の他端側には、奥板３６が配置されており、奥板３６は、幅方向が上下方向とされている。奥板３６は、下側端部が底板３４の幅方向の他端部に接合されており、奥板３６は、底板３４から立設されている。
【００３５】
また、斜板３８は、幅方向が上下方向に対して所定角度で傾斜されており、斜板３８は、幅方向の一端側が上板３２の幅方向の他端部（奥板３６側の端部）に接合され、幅方向の他端側が奥板３６の上端部に接合されている。
【００３６】
さらに、手摺収納部３０には、長手方向の一端側に端板４０が配置され、長手方向の他端側に端板４２が配置されている。端板４０、４２の各々には、上板３２、底板３４、奥板３６及び斜板３８の各々の長手方向の端部が接合されている。これにより、手摺収納部３０は、一方の面が開口された長尺略矩形箱状に形成されており、手摺収納部３０は、奥板３６とは反対側に開口部４４が形成された凹状とされている。
【００３７】
手摺収納部３０は、上板３２、底板３４、奥板３６及び斜板３８の各々に木製薄板（例えば、厚さｔ＝３ｍｍ）の化粧板が用いられ、各板は化粧面が内側に向けられている。また、手摺収納部３０は、端板４０、４２に木製厚板（例えば、厚さｔ＝１８ｍｍ）の化粧板が用いられ、端板４０、４２は、化粧面が互いに対向されている。これにより、手摺収納部３０は、内部の美観が向上されている。また、手摺収納部３０は、上板３２等に比して厚さの厚い厚板とされた端板４０、４２によって形状補強されている。
【００３８】
端板４２は、奥板３６から開口部４４までの寸法が、端板４０の奥板３６から開口部４４までの寸法より短くされている。これにより、手摺収納部３０には、開口部４４の端板４２側に切欠部４６が形成されており、切欠部４６の切欠き深さは、壁面部材２４（２４Ａ）の厚さ寸法と同様の寸法（例えば、約１２．５ｍｍ）にされている。
【００３９】
内壁部１２には、柱部２０を挟んだ通路方向の両側の非柱部２８の各々において壁面部材２４Ａが切り取られた開口部４８が形成されており、開口部４８は、非柱部２８（継柱部１６部分と柱部２０部分とを除く範囲）において通路方向に沿う略全域に渡って形成されている。開口部４８の各々は、上下寸法が手摺収納部３０の上板３２と底板３４との間の外側寸法と同様にされ、通路方向に沿う寸法（長手方向の寸法）が端板４０、４２の間の外側寸法と同様にされている。
【００４０】
手摺収納部３０は、切欠部４６が設けられた端板４２が柱部２０側とされ、奥板３６が壁面部材２４Ｂ側（他室１４Ａ側）にされて、開口部４８から壁面部材２４Ａに嵌め込まれたように内壁部１２に配置されている。また、手摺収納部３０は、奥板３６が留付具（接着部材等でもよい）によって壁面部材２４Ｂの裏側（他室１４Ａとは反対面側）に接合されると共に、端板４０が継柱部１６に接合され、端板４２が柱部２０の野縁２６に接合されている。
【００４１】
これにより、手摺収納部３０は、柱部２０を挟んだ両側の非柱部２８において内壁部１２内に取り付けられている。なお、非柱部２８内に間柱が配置されている場合、間柱を手摺収納部３０の断面形状に応じて切欠き、間柱の切欠き部分に手摺収納部３０を嵌め込んで、上板３２、底板３４及び斜板３８の各々を留付具等によって間柱に接合すればよい。
【００４２】
また、内壁部１２の壁面部材２４Ａには、通路側の面に額縁５０が配置されている。額縁５０は、開口部４８の各々の周縁において壁面部材２４Ａに取り付けられており、額縁５０には、上板３２、底板３４及び端板４０の各々の幅方向端部が接合されている。
【００４３】
内壁部１２には、柱部２０部分に切込部５２が形成されており、切込部５２は、内壁部１２の柱部２０側の部分において壁面部材２４Ａが切除された範囲とされている。切込部５２は、柱部２０を挟んで形成されている開口部４８同士を連結するように壁面部材２４Ａが切除されて形成されている。これにより、内壁部１２は、壁面部材２４Ａが溝状に切除されている。
【００４４】
切込部５２内には、柱部２０側に矩形状の当板５４が取り付けられている。当板５４は、壁面部材２４Ａが切り取られることにより露出された下地材２２に接合されていると共に、手摺収納部３０の各々の切欠部４６において端板４２の端面に接合されている。また、切込部５２内における壁面部材２４Ａの端面の各々には、細幅の当板５４Ａが接合されている。
【００４５】
当板５４、５４Ａには、手摺収納部３０の上板３２等と同様の化粧板が用いられており、当板５４、５４Ａの各々は、化粧面が切込部５２内に向けられている。また、切込部５２の上側及び下側の周縁には、額縁５０が延伸されて取り付けられており、額縁５０が切込部５２の上下の周縁において壁面部材２４Ａに取り付けられている。これにより、内壁部１２には、額縁５０が長尺矩形枠状に形成されて、額縁５０内において手摺収納部３０の各々の内部及び切込部５２内が通路１４側に向けて開放されている。
【００４６】
一方、手摺１０は、非柱部２８側の手摺部としての手摺本体部５６、及び柱部２０側の手摺部としての手摺連結部５８によって構成されており、手摺本体部５６及び手摺連結部５８は、各々略棒状とされている。手摺本体部５６は、手摺収納部３０の各々に配置され、手摺連結部５８は、切込部５２内に配置されている。
【００４７】
手摺本体部５６は、長手方向寸法が手摺収納部３０の端板４０、４２の間の寸法（内寸）と同様にされており、手摺本体部５６は、各々手摺収納部３０の開口部４４の上下方向中間部において、長手方向が手摺収納部３０の長手方向（通路方向）に沿って配置されている。また、手摺本体部５６は、長手方向と交差する方向に沿う断面形状が略楕円状（長円状又は卵型状であってもよい）に形成されている。
【００４８】
手摺本体部５６は、長軸方向が内壁部１２の厚さ方向とされ、長軸方向の一端部が開口部４４から突出するように手摺収納部３０内に配置されている。また、手摺本体部５６は、長手方向の両端が各々端板４０、４２の内面側に接合されて手摺収納部３０に取り付けられている。
【００４９】
手摺本体部５６は、長軸方向の端部である断面略半円状部分が内壁部１２の壁面部材２４Ａの表面から通路１４側に突出されている。これにより、手摺本体部５６は、柱部２０側（切欠部４６）において、長軸方向の先端部の略半円状部分に加え、略半円状部分に連続する略平坦部分（湾曲の緩やかな部分）が端板４２から突出されている。本実施形態では、一例として手摺本体部５６の長軸方向に沿う寸法（外形寸法）を７０ｍｍ、短軸方向に沿う寸法（外形寸法）を３０ｍｍとしており、手摺本体部５６は、長軸方向の先端から約４０ｍｍまでの部分が切欠部４６から突出される。これにより、手摺本体部５６は、開口部４４から手摺収納部３０内に挿入した手によって把持可能とされ、手摺本体部５６を把持した手が手摺収納部３０内において通路方向に移動可能とされている。
【００５０】
手摺連結部５８は、長手方向が手摺収納部３０内の手摺本体部５６の長手方向（通路方向）となるように切込部５２内に配置されている。手摺連結部５８は、長手方向の寸法が、柱部２０を挟んで配置された手摺本体部５６の端面同士の間隔寸法と同様にされている。また、手摺連結部５８は、長手方向と交差する方向の断面形状が、手摺本体部５６において端板４２の切欠部４６（切欠部４６に取り付けられた当板５４）から通路１４側に突出した部分の断面形状と同様となるように形成されている。
【００５１】
手摺連結部５８は、断面半円状部分が通路１４側に向けられ、通路１４側とは反対側の平坦面が当板５４に当接されて切込部５２内に配置される。また、手摺連結部５８は、長手方向の端部（端面）の各々が手摺本体部５６の長手方向の端部（端面）に当接され、手摺本体部５６に接合されるなどして連結されている。これにより、切込部５２に手摺連結部５８が取り付けられ、手摺１０は、柱部２０部分と非柱部２８の部分に跨って手摺本体部５６及び手摺連結部５８が略直線状に連続するように形成されている。
【００５２】
このように構成されている手摺１０は、内壁部１２の非柱部２８に手摺収納部３０が配置され、手摺収納部３０内に手摺本体部５６が取り付けられている。これにより、手摺１０は、内壁部１２の非柱部２８の部分において、手摺本体部５６が通路１４の有効幅を狭めてしまうのが抑制されている。
【００５３】
また、内壁部１２には、柱部２０部分に形成された切込部５２に手摺連結部５８が配置され、手摺連結部５８が手摺本体部５６に接続されている。切込部５２は、内壁部１２の柱部２０の部分において壁面部材２４Ａが切除されて形成されている。これにより、手摺１０は、切込部５２が形成されていない場合に比して、柱部２０の部分の手摺連結部５８が通路１４側に突出して、通路１４の有効幅を狭めてしまうのが抑制されている。
【００５４】
また、手摺１０は、柱部２０を挟んだ両側の手摺本体部５６が手摺連結部５８によって連続されている。このため、手摺１０は、柱部２０の部分において途切れることなく通路１４に沿って連続されている。これにより、通路１４を通る人は、柱部２０の近傍においても手摺１０（手摺連結部５８）に触れながら（又は掴みながら）移動できるので、移動途中で手摺１０から手を離すことにより不安が生じるのを抑制できて、安心して通路１４を通ることができる。すなわち、脚に障害があったり足腰が弱くなったりしている人は、短い距離であっても手摺１０から手を離して歩行する際に少なからず不安が生じる。しかし、手摺１０は、手摺本体部５６の間に手摺連結部５８が配置されて連続されているので、通路１４の途中に柱部２０があっても、手摺１０から手を離すことなく移動（歩行）できるので、安心して通路１４を通ることができる。
【００５５】
一方、手摺連結部５８は、断面形状が手摺本体部５６の長軸方向の一端側の断面形状と同様に形成されており、手摺連結部５８は、手摺本体部５６の通路１４側の端部が切込部５２内に延伸された形状となるように手摺本体部５６に接合されている。また、手摺連結部５８は、内壁部１２の厚さ方向の断面サイズが、手摺本体部５６の内壁部１２の厚さ方向の断面サイズより小さくされており、手摺連結部５８は、断面サイズが手摺本体部５６の断面サイズより小さく（短く）形成されている。
【００５６】
これにより、手摺１０は、柱部２０の部分において通路１４の有効幅が狭まるのを効果的に抑制できる。しかも、手摺１０は、内壁部１２の略全域において略直線状になるので、手摺１０が通路１４の美観を損ねてしまうことがない。
【００５７】
また、手摺連結部５８は、通路１４側が断面略半円状となっているが、切込部５２の当板５４側の上面が略平坦（緩やかな湾曲）となっている。このため、手摺１０は、手摺連結部５８の表面に触れている手が滑って手摺連結部５８から外れてしまうのを抑制できる。これにより、通路１４を通る人は、手摺１０に触れながら安心して柱部２０の近傍を通過できるので、手摺１０は、通路１４の安心した通行を適正に補助できる。
【００５８】
なお、本実施形態では、２本の手摺本体部５６の間に手摺連結部５８を配置して、一体となるように連結した。しかしながら、手摺は、長尺状の手摺本体部の長手方向の中間部を、構造柱部及び構造柱部における切込部の形状に合わせって略矩形状に切欠くことで、手摺本体部の間に手摺連結部が形成された形状であってもよい。
【００５９】
また、住宅などでは、１モジュール又は２モジュールごとに継柱部１６や柱部２０などの構造柱部が設置されており、内壁部が通路方向に複数モジュール分の長さとなると、内壁部には、複数の構造柱部が配置される。この場合、構造柱部の間の非構造柱部ごとに手摺収納部を配置すると共に、手摺収納部ごとに手摺本体部を取り付け、非構造柱部の間の構造柱部の部分に壁面材料を切除して切込部を形成すると共に、切込部ごとに手摺連結部を配置すればよい。
【００６０】
また、構造柱部が角部とされた略Ｌ字形状などの壁部においては、構造柱部を挟んだ両側に手摺収納部を配置して手摺本体部を取り付け、壁部の角部（構造柱部）には、通路側の各々の面の壁面部材を切除して切込部を形成し、２つ（２面）の切込部に跨るよう略Ｌ字形状の手摺連結部を取り付けるようにしてもよい。これにより、略Ｌ字形状の壁部においても、通路の有効幅が狭まるのを抑制しながら、手摺を連続させることができて、通行する人の適切な補助が可能になる。しかも、壁部の角部において手摺連結部が通路側に突出するのを効果的に抑制できるので、壁部の角部に設置した手摺連結部が通路幅を狭めるのを効果的に抑制できる。
【００６１】
〔変形例〕
一方、以上説明した本実施形態では、壁部に沿って移動する人が触れることのできる手摺連結部を構造柱部の部分に設置した。しかしながら、手摺連結部は、人が握ることができるものであってもよい。以下に、変形例として、人が握ることのできる手摺連結部を設けた手摺構造の一例を説明する。図４には、変形例に係る手摺６０が斜視図にて示されている。
【００６２】
図４に示すように、変形例に係る手摺６０は、手摺本体部５６及び手摺連結部５８の各々に変えて、手摺本体部６２及び手摺連結部６４が用いられている点で手摺１０と相違する。
【００６３】
手摺６０が設けられる内壁部１２には、手摺収納部３０が設置されており、手摺収納部３０は、柱部２０（図４では図示省略）を挟んだ両側の非柱部２８に取り付けられている。手摺収納部３０の各々には、手摺本体部６２が配置されている。手摺本体部６２は、断面形状が手摺本体部５６と同様の楕円状とされており、長軸方向が内壁部１２の厚さ方向とされている。手摺本体部６２は、長手方向の端部が各々端板４０、４２に接合されて手摺収納部３０に取り付けられている。
【００６４】
手摺連結部６４は、長手方向の両端部が長手方向と交差する方向の同一方向に屈曲されており、手摺連結部６４は、平面視が略コ字状に形成されている。また、手摺連結部６４は、例えば、断面形状が略円形状とされており、手摺連結部６４は、外径（直径、断面サイズ）が手摺本体部６２の断面における短軸方向の寸法と同様に形成されている。これにより、手摺連結部６４は、断面サイズが手摺本体部６２の断面サイズより小さくされている。
【００６５】
手摺連結部６４は、長手方向の中間部が、内壁部１２の切込部５２に対向された位置に配置され、切込部５２の柱部２０側部分（当板５４）との間に人の手が容易に挿入できる間隔となる位置に配置される。なお、手摺連結部６４の配置位置は、切込部５２の柱部２０側部分（当板５４）との間に人の手が容易に挿入できる間隔で狭い間隔であることがより好ましい。すなわち、手摺連結部６４は、当板５４との間隔が通路１４を通る人が握ることができる間隔で切込部５２に配置されている。
【００６６】
また、手摺連結部６４は、長手方向の両端部が、各々手摺本体部６２の端板４２側の端部に連結されて固定されている。これにより、手摺６０では、手摺連結部６４が柱部２０部分を跨いで配置されて、手摺本体部６２が手摺連結部６４によって連続されている。
【００６７】
このように構成されている手摺６０は、内壁部１２の非柱部２８の部分に手摺収納部３０が配置され、手摺収納部３０内に手摺本体部６２が取り付けられているので、内壁部１２の非柱部２８の部分において通路１４の有効幅が狭まるのを抑制できる。また、手摺６０では、柱部２０の部分の切込部５２に手摺連結部６４が配置され、手摺連結部６４が手摺本体部６２の各々に連結されている。このため、手摺６０では、手摺連結部６４が柱部２０の部分を跨いで手摺本体部６２に連続しているので、通路１４を通る人に不安を生じさせることなく適切に補助できる。
【００６８】
さらに、切込部５２に配置する手摺連結部６４の断面サイズを、手摺本体部６２の断面サイズよりも小さくしているので、柱部２０の部分において手摺連結部６４が通路１４の有効幅を狭めてしまうのを効果的に抑制できる。
【００６９】
なお、以上説明した本実施形態及び変形例では、通路１４に面する内壁部１２に手摺１０、６０を設置した。しかしながら、手摺構造が適用される壁部が設けられる通路は、廊下などに限らず、階段などであってもよい。この場合、階段が設置された階段室に面する壁部に、階段の傾斜に沿って手摺部が設置されればよい。また、手摺構造が適用される壁部は、通路に限らず建物の居室などに面してもよく、これにより、居室内を壁部に沿って通る人を適切に補助できる。
【００７０】
また、本実施形態及び変形例では、躯体が鉄骨ラーメン構造の住宅を例に説明した。しかしながら、手摺構造が適用される建物は、鉄骨軸組構造の躯体であってもよく、木造構造の躯体であってもよい。
【符号の説明】
【００７１】
１０、６０    手摺
１２    内壁部（壁部）
１４    通路
１６    継柱部
２０    柱部（構造柱部）
２４（２４Ａ〜２４Ｃ）    壁面部材
３０    手摺収納部
４４    開口部
５２    切込部（構造柱部において壁面部材を切除した範囲）
５６、６２    手摺本体部
５８、６４    手摺連結部
【図１】
2020197037.tif 000003
【図２】
2020197037.tif 000004
【図３】
2020197037.tif 000005
【図４】
2020197037.tif 000006